(57)【要約】【課題】たとえば作業をする機会が最も多いカウンター上において十分な照度を確保することのできるシステムキッチン。【解決手段】本発明のシステムキッチン（１）は、カウンター（８）の後方の壁面および吊り戸棚（７）の底面から間隔を隔てて配置されたＬ字状の光透過性のカバーパネル部材（１０ａ，１０ｂ）と、吊り戸棚の底面とカバーパネル部材との間に設けられた第１光源と、壁面とカバーパネル部材との間に設けられた第２光源とを備えている。第１光源は、吊り戸棚の前方端の近傍においてほぼ水平方向に延びるように配置された蛍光灯を有する。第２光源は、カバーパネル部材の下端の近傍においてほぼ水平方向に細長く延びるテープ状のＬＥＤを有する。【選択図】  図１
2005052169.tif 000002
【特許請求の範囲】
【請求項１】
カウンターの後方の壁面および吊り戸棚の底面から間隔を隔てて配置されたＬ字状の光透過性のカバーパネル部材と、
前記吊り戸棚の底面と前記カバーパネル部材との間に設けられた第１光源と、
前記壁面と前記カバーパネル部材との間に設けられた第２光源とを備えていることを特徴とするシステムキッチン。
【請求項２】
前記第１光源は、前記吊り戸棚の前方端の近傍においてほぼ水平方向に延びるように配置された蛍光灯を有することを特徴とする請求項１に記載のシステムキッチン。
【請求項３】
前記第２光源は、前記カバーパネル部材の下端の近傍においてほぼ水平方向に細長く延びるテープ状のＬＥＤを有することを特徴とする請求項１または２に記載のシステムキッチン。
【請求項４】
前記カバーパネル部材は、前記吊り戸棚の底面の下方に配置された第１カバーパネル部材と、前記壁面の前方に配置された第２カバーパネル部材とを有することを特徴とする請求項１乃至３のいずれか１項に記載のシステムキッチン。
【発明の詳細な説明】
【０００１】
【発明の属する技術分野】
本発明は、システムキッチンに関し、特にシステムキッチンにおける照明に関するものである。
【０００２】
【従来の技術】
従来、システムキッチンでは、調理作業などに必要な照度（明るさ）を確保するために、随時点灯可能な照明装置が適当な位置に常設されている（たとえば、特許文献１および特許文献２を参照）。ＪＩＳで指定された参考値によれば、調理に必要な照度は３００Ｌｘ程度である。ちなみに、読書に必要な照度は７００Ｌｘ程度であり、掃除に必要な照度は４００Ｌｘ程度である。
【０００３】
【特許文献１】
実開昭６３−４２２４４号公報
【特許文献２】
実開平１−１５５８４４号公報
【０００４】
【発明が解決しようとする課題】
本出願人の調査結果によれば、従来の平均的なシステムキッチンにおいて天井に取り付けられた照明などの環境光がない場合、キッチンに取り付けられた照明の直下などのかなり狭い特定領域においてのみ３００Ｌｘ以上の照度が確保されるに過ぎない。また、天井からの環境光やリビングルーム側からの環境光がある場合、３００Ｌｘ以上の照度が確保される領域はある程度広がるが、必ずしもカウンター上の作業面の全体に亘って３００Ｌｘ以上の照度が確保されるわけではない。
【０００５】
一般に、キッチンでは、包丁を用いた細かい調理や、食材のチェックや、小さな文字で書かれたレシピの確認（たとえば読書に類似する作業）や、調理後の清掃（たとえば掃除に類似する作業）などを、様々なタイミングで様々な位置において行う必要がある。上述のＪＩＳ指定の照度参考値および本出願人の調査結果を参照すると、従来のシステムキッチンでは、たとえば作業をする機会が最も多いカウンター（シンクなどを含む）上において十分な照度を確保することができなかった。
【０００６】
本発明は、前述の課題に鑑みてなされたものであり、たとえば作業をする機会が最も多いカウンター上において十分な照度を確保することのできるシステムキッチンを提供することを目的とする。
【０００７】
【課題を解決するための手段】
前記課題を解決するために、本発明では、カウンターの後方の壁面および吊り戸棚の底面から間隔を隔てて配置されたＬ字状の光透過性のカバーパネル部材と、
前記吊り戸棚の底面と前記カバーパネル部材との間に設けられた第１光源と、
前記壁面と前記カバーパネル部材との間に設けられた第２光源とを備えていることを特徴とするシステムキッチンを提供する。
【０００８】
本発明の好ましい態様によれば、前記第１光源は、前記吊り戸棚の前方端の近傍においてほぼ水平方向に延びるように配置された蛍光灯を有する。また、前記第２光源は、前記カバーパネル部材の下端の近傍においてほぼ水平方向に細長く延びるテープ状のＬＥＤを有する。また、前記カバーパネル部材は、前記吊り戸棚の底面の下方に配置された第１カバーパネル部材と、前記壁面の前方に配置された第２カバーパネル部材とを有することが好ましい。
【０００９】
【発明の実施の形態】
本発明のシステムキッチンは、カウンターの後方の壁面および吊り戸棚の底面から間隔を隔てて配置されたＬ字状の光透過性のカバーパネル部材を備えている。そして、吊り戸棚の底面とカバーパネル部材との間には第１光源が設けられ、壁面とカバーパネル部材との間には第２光源が設けられている。
【００１０】
このように、本発明では、第１光源および第２光源が壁面から吊り戸棚の底面までを覆う光透過性のカバーパネル部材を内側から全面的に照らす構成により、たとえば作業をする機会が最も多いカウンター（シンクなどを含む）上において十分な照度を確保することができる。特に、本発明では、光源からの光がカバーパネル部材を介してカウンター上を間接的に照明するので、長時間に亘る作業に際しても目の疲れを感じにくいという利点もある。
【００１１】
なお、本発明では、第１光源が吊り戸棚の前方端の近傍においてほぼ水平方向に延びるように配置された蛍光灯を有することが好ましい。この構成では、第１光源からの光により、カウンター上をほぼ均一に且つ効率的に照明することができる。
【００１２】
また、本発明では、第２光源がカバーパネル部材の下端の近傍においてほぼ水平方向に細長く延びるテープ状のＬＥＤを有することが好ましい。この構成では、第２光源の交換が不要になるだけでなく、第２光源だけを点灯させることにより演出的な間接照明を実現することができる。
【００１３】
また、本発明では、カバーパネル部材が、吊り戸棚の底面の下方に配置された第１カバーパネル部材と、壁面の前方に配置された第２カバーパネル部材とを有することが好ましい。この構成により、第１カバーパネル部材だけを取り外して第１光源を交換することができるので、光源の交換作業が容易になる。また、第２光源の交換が必要な場合にも、第２カバーパネル部材だけを取り外して光源の交換・修理をすることができる。
【００１４】
本発明の実施形態を、添付図面に基づいて説明する。
図１は、本発明の実施形態にかかるシステムキッチンの全体構成を概略的に示す斜視図である。また、図２は、本実施形態においてカバーパネル部材が壁面および吊り戸棚の底面から間隔を隔てて取り付けられている様子を概略的に示す図である。また、図３（ａ）は吊り戸棚の底面と第１カバーパネル部材との間に第１光源が設けられた構成を、図３（ｂ）は壁面と第２カバーパネル部材との間に第２光源が設けられた構成を概略的に示す図である。
【００１５】
図１を参照すると、本実施形態にかかるシステムキッチン１は、床（不図示）の上に載置されたベースキャビネット２を備えている。ベースキャビネット２の上部には、システムキッチン１に向かって左側から、たとえばＩＨのような加熱調理器３と、シンク４とが設けられている。また、シンク４に隣接して、たとえば湯水混合型の水栓５が設けられている。なお、加熱調理器３の上方には、レンジフード６が設けられ、シンク４の上方には、レンジフード６に隣接してシステムキッチン１の一端まで延びるように吊り戸棚７が設けられている。
【００１６】
さらに、図１〜図３を参照すると、本実施形態にかかるシステムキッチン１では、カウンター８の後方の壁面９および吊り戸棚７の底面７ａから間隔を隔てて、Ｌ字状の光透過性の（たとえばガラス製の）カバーパネル部材１０が配置されている。カバーパネル部材１０は、吊り戸棚７の底面７ａの下方に配置された第１カバーパネル部材１０ａと、壁面９の前方に配置された第２カバーパネル部材１０ｂとにより構成されている。
【００１７】
なお、図２に詳細に示すように、第１カバーパネル部材１０ａの前方端は、取付け部材１１を介して吊り戸棚７の前方下端に取り付けられている。また、第１カバーパネル部材１０ａの下端は、留め部材１２を介して壁面９を構成する壁パネル９ａに取り付けられている。一方、第２カバーパネル部材１０ｂの上端は、留め部材１２を介して壁パネル９ａに取り付けられている。また、第２カバーパネル部材１０ｂの下端は、取付け部材１３を介してバックガード１４の上端部および壁パネル９ａに取り付けられている。
【００１８】
また、図３に詳細に示すように、吊り戸棚７の底面７ａと第１カバーパネル部材１０ａとの間には、吊り戸棚７の前方端の近傍においてほぼ水平方向に延びるように配置された蛍光灯（たとえばスリム管蛍光灯）１５が第１光源として設けられている。また、壁面９を構成する壁パネル９ａと第２カバーパネル部材１０ｂとの間には、第２カバーパネル部材１０ｂの下端の近傍においてほぼ水平方向に細長く延びるテープ状のＬＥＤ１６が第２光源として設けられている。
【００１９】
以上のように、本実施形態のシステムキッチン１は、カウンター８の後方の壁面９および吊り戸棚７の底面７ａから間隔を隔てて配置されたＬ字状の光透過性のカバーパネル部材１０、すなわち第１カバーパネル部材１０ａと第２カバーパネル部材１０ｂとを備えている。そして、吊り戸棚７の底面７ａと第１カバーパネル部材１０ａとの間には第１光源としての蛍光灯１５が設けられ、壁面９と第２カバーパネル部材１０ｂとの間には第２光源としてのＬＥＤ１６が設けられている。
【００２０】
このように、本実施形態では、蛍光灯１５およびＬＥＤ１６が壁面９から吊り戸棚７の底面７ａまでを覆う光透過性のカバーパネル部材（１０ａ，１０ｂ）を内側から全面的に照らす構成により、たとえば作業をする機会が最も多いカウンター（シンク４などを含む広い概念）８上において十分な照度を確保することができる。特に、本実施形態では、光源（１５，１６）からの光がカバーパネル部材（１０ａ，１０ｂ）を介してカウンター８上を間接的に照明するので、長時間に亘る作業に際しても目の疲れを感じにくい。
【００２１】
また、本実施形態では、第１光源として、吊り戸棚７の前方端の近傍においてほぼ水平方向に延びるように配置された蛍光灯１５を用いているので、この蛍光灯１５からの光により、カウンター８上をほぼ均一に且つ効率的に照明することができる。また、本実施形態では、第２光源として、第２カバーパネル部材１０ｂの下端の近傍においてほぼ水平方向に細長く延びるテープ状のＬＥＤ１６を用いているので、光源の交換が不要になるだけでなく、ＬＥＤ１６だけを点灯させることにより演出的な間接照明を実現することができる。
【００２２】
また、本実施形態では、カバーパネル部材１０が、吊り戸棚７の底面７ａの下方に配置された第１カバーパネル部材１０ａと、壁面９の前方に配置された第２カバーパネル部材１０ｂとにより構成されている。その結果、第１カバーパネル部材１０ａだけを取り外して蛍光灯１５を交換することができるので、光源の交換作業が容易である。また、ＬＥＤ１６は本来交換が不要であるが、必要に応じて第２カバーパネル部材１０ｂだけを取り外して光源の交換・修理をすることができる。
【００２３】
なお、上述の実施形態では、第１光源として吊り戸棚７の前方端の近傍においてほぼ水平方向に延びるように配置された蛍光灯１５を用い、第２光源としてカバーパネル部材１０の下端の近傍においてほぼ水平方向に細長く延びるテープ状のＬＥＤ１６を用いている。しかしながら、これに限定されることなく、第１光源および第２光源の種類、構成、配置などについては様々な変形例が可能である。
【００２４】
また、上述の実施形態では、カバーパネル部材１０が、吊り戸棚７の底面７ａの下方に配置された第１カバーパネル部材１０ａと、壁面９の前方に配置された第２カバーパネル部材１０ｂとにより構成されている。しかしながら、これに限定されることなく、カバーパネル部材の具体的な構成については様々な変形例が可能である。
【００２５】
【発明の効果】
以上説明したように、本発明のシステムキッチンでは、第１光源および第２光源が壁面から吊り戸棚の底面までを覆う光透過性のカバーパネル部材を内側から全面的に照らす構成により、たとえば作業をする機会が最も多いカウンター（シンクなどを含む）上において十分な照度を確保することができる。特に、光源からの光がカバーパネル部材を介してカウンター上を間接的に照明するので、長時間に亘る作業に際しても目の疲れを感じにくいという利点もある。
【００２６】
また、本発明では、第１光源が吊り戸棚の前方端の近傍においてほぼ水平方向に延びるように配置された蛍光灯を有する構成を採用すると、第１光源からの光により、カウンター上をほぼ均一に且つ効率的に照明することができる。また、本発明では、第２光源がカバーパネル部材の下端の近傍においてほぼ水平方向に細長く延びるテープ状のＬＥＤを有する構成を採用すると、第２光源の交換が不要になるだけでなく、第２光源だけを点灯させることにより演出的な間接照明を実現することができる。
【００２７】
また、本発明では、カバーパネル部材が、吊り戸棚の底面の下方に配置された第１カバーパネル部材と、壁面の前方に配置された第２カバーパネル部材とを有する構成を採用すると、第１カバーパネル部材だけを取り外して第１光源を交換することができるので、光源の交換作業が容易になる。また、第２光源の交換が必要な場合にも、第２カバーパネル部材だけを取り外して光源の交換・修理をすることができる。
【００２８】
また、本発明では、平滑な表面を有するカバーパネル部材で光源を覆っているので、良好な清掃性が得られるという利点もある。
【図面の簡単な説明】
【図１】本発明の実施形態にかかるシステムキッチンの全体構成を概略的に示す斜視図である。
【図２】本実施形態においてカバーパネル部材が壁面および吊り戸棚の底面から間隔を隔てて取り付けられている様子を概略的に示す図である。
【図３】（ａ）は吊り戸棚の底面と第１カバーパネル部材との間に第１光源が設けられた構成を、（ｂ）は壁面と第２カバーパネル部材との間に第２光源が設けられた構成を概略的に示す図である。
【符号の説明】
１  システムキッチン
２  ベースキャビネット
３  加熱調理器（ＩＨ）
４  シンク
５  水栓
６  レンジフード
７  吊り戸棚
８  カウンター
９  壁面
９ａ  壁パネル
１０ａ，１０ｂ  カバーパネル部材
１１，１３  取付け部材
１２  留め部材
１４  バックガード
１５  蛍光灯（第１光源）
１６  ＬＥＤ（第２光源）
【図１】
2005052169.tif 000003
【図２】
2005052169.tif 000004
【図３】
2005052169.tif 000005